(57)【要約】【課題】工場からの出荷時、あるいはそれが設置される現場の状況に合わせて色温度あるいは演色性を調整することのできる光源装置を提供する。【解決手段】ＬＥＤ１２と、ＬＥＤ１２をその内側に収容し、ＬＥＤ１２から放射された光を出射する出射開口１４ａを有する筐体１４と、筐体１４の出射開口１４ａを覆う交換可能なカバー１６とを備える光源装置１０Ａにおいて、カバー１６に、ＬＥＤ１２から放射される光における青色波長光を低減する青色波長光低減領域２４、あるいは暖色波長光を低減する暖色波長光低減領域５０を形成することによって上記課題を解決することができる。【選択図】図１
2011108583.tif 000002
【特許請求の範囲】
【請求項１】
ＬＥＤと、前記ＬＥＤをその内側に収容し、前記ＬＥＤから放射された光の出射開口を有する筐体と、前記筐体の前記出射開口を覆う交換可能なカバーとを備える光源装置であって、
前記カバーは、前記ＬＥＤから放射される光の青色波長光を低減する青色波長光低減領域あるいは暖色波長光を低減する暖色波長光低減領域を有することを特徴とする光源装置。
【請求項２】
複数のＬＥＤと、前記ＬＥＤをその内側に収容し、前記ＬＥＤから放射された光の出射開口を有する筐体と、前記筐体の前記出射開口を覆うカバーとを備える光源装置であって、
前記カバーは、前記ＬＥＤから放射される光の青色波長光を低減する青色波長光低減領域あるいは暖色波長光を低減する暖色波長光低減領域と、全ての可視光を透過する透明領域とを有しているとともに、前記出射開口に沿って回転可能に取り付けられていることを特徴とする光源装置。
【請求項３】
１つのＬＥＤと、前記ＬＥＤをその内側に収容し、前記ＬＥＤから放射された光の出射開口を有する筐体と、前記筐体の前記出射開口を覆うカバーとを備える光源装置であって、
前記カバーは、前記ＬＥＤから放射される光の青色波長光を低減する青色波長光低減領域あるいは暖色波長光を低減する暖色波長光低減領域と、全ての可視光を透過する透明領域とを有しているとともに、前記出射開口に沿って回転可能に取り付けられており、
前記ＬＥＤは、前記ＬＥＤから放射された光の前記カバーを透過する領域が、前記カバーの回転中心を中心として非対称となるように配置されていることを特徴とする光源装置。
【請求項４】
ＬＥＤと、前記ＬＥＤをその内側に収容し、前記ＬＥＤから放射された光の出射開口を有する筐体と、前記筐体の前記出射開口を覆うカバーとを備える光源装置であって、
前記カバーは、前記ＬＥＤから放射される光の青色波長光を低減する青色波長光低減領域あるいは暖色波長光を低減する暖色波長光低減領域と、全ての可視光を透過する透明領域とを有しており、
前記ＬＥＤから放射された光が前記青色波長光低減領域あるいは前記暖色波長光低減領域を透過する割合と、前記透明領域を通過する割合とを調整することによって前記カバーを透過した後の光の色温度あるいは演色性が調整された光源装置。
【発明の詳細な説明】
【技術分野】
【０００１】
本発明は、家庭や商用施設、展示施設等の一般照明および光学機器に用いられる、発光ダイオードを用いた光源装置に関する。
【背景技術】
【０００２】
従来の白熱電球に比べて、消費電力および発熱量が低く、かつ、長寿命といった長所を有する発光ダイオード（以下、「ＬＥＤ」という。）は、需要者のエコロジー意識の高まりとともに、省エネ対策のひとつとしてその使用範囲が急速に広まっている。
【０００３】
しかし、ＬＥＤは複雑で微妙な製造工程を経て製造されることから、各ＬＥＤから放射される光はその光量や波長にばらつきが生じ易く、このため各ＬＥＤから放射される光の色温度における個体差を回避できないのが現状であり、ＬＥＤメーカーでは、色温度を揃えるために、出荷前に各ＬＥＤからの光の色温度を確認し、色温度ごとにＬＥＤの選別を行っている。
【０００４】
このような「ＬＥＤの選別」とは別に、ＬＥＤの光に個体差が存在することを前提としつつ、発光色をコントロールする技術が開発されており、例えば特許文献１には、図１１に示すように、ＬＥＤ素子１と、当該ＬＥＤ素子１を被覆する被覆部材２とを有しており、当該被覆部材２の表面に形成された染色層３によって不要な発光色成分（波長）を弱めることで所望の色温度の光を放射できるように調整されたＬＥＤ４が開示されている。
【先行技術文献】
【特許文献】
【０００５】
【特許文献１】特開２００４−８８００３号公報
【発明の概要】
【発明が解決しようとする課題】
【０００６】
しかしながら、特許文献１に開示されたＬＥＤ４では、被覆部材２の表面に染色層３を設けることによって光の色温度を調整するようになっているので、染色層３を設ける工程を経た後は、ＬＥＤ４を用いた光源装置の製造工場における出荷前検査で所定の色温度範囲にない光を放射するＬＥＤ４が見つかったり、ＬＥＤ４を用いた光源装置を設置する現場においてその色温度を調整したいような場合であっても、もはや色温度を調整することはできなかった。
【０００７】
加えて、最近は、自然光（基準光）による色彩をどの程度忠実に再現しているかを表す指数である「演色評価数」（平均演色評価色（８種類）と特殊演色評価色（７種類）との試験色（合計１５色）を用いて、試料光と基準光（ＪＩＳが定める自然光に近い色）とのずれの大きさを数値化したものであり、基準光を１００として、基準光との演色性のずれが大きくなるほど数値が小さくなる。）を用いることにより、ＬＥＤ４から放射される光の演色性で当該ＬＥＤ４の性能が評価されるケースも多くなってきており、この演色性を調整したいという要請が高まってきている。
【０００８】
本発明は、このような従来技術の問題点およびＬＥＤに対する要請に鑑みて開発されたものである。それゆえに本発明の主たる課題は、光源装置の製造工場からの出荷前、あるいはそれが設置される現場の状況に合わせて色温度あるいは演色性を調整することのできる光源装置、および色温度あるいは演色性を調整した光源装置を提供することにある。
【課題を解決するための手段】
【０００９】
請求項１に記載した発明は、「ＬＥＤ１２と、前記ＬＥＤ１２をその内側に収容し、前記ＬＥＤ１２から放射された光の出射開口１４ａを有する筐体１４と、前記筐体１４の前記出射開口１４ａを覆う交換可能なカバー１６とを備える光源装置１０Ａであって、
前記カバー１６は、前記ＬＥＤ１２から放射される光の青色波長光を低減する青色波長光低減領域２４あるいは暖色波長光を低減する暖色波長光低減領域５０を有することを特徴とする光源装置１０Ａ」である。
【００１０】
この発明によれば、ＬＥＤ１２から放射される光における青色波長光を低減させることによって光源装置１０Ａから出光する光の色温度を調整し、あるいは当該光における暖色波長光を低減させることによって光源装置１０Ａから出光する光の演色性を調整するようになっているので、青色波長光低減領域２４における青色波長光の低減率の異なるカバー１６をいくつか用意しておくことにより（青色波長光の低減率が大きいほど、カバー１６を透過した後の光の色温度は低くなる。）、あるいは暖色波長光低減領域５０における暖色波長光の低減率の異なるカバー１６をいくつか用意しておくことにより、当該光源装置１０Ａが設置される現場の状況に合わせて光源装置１０Ａのカバー１６を交換して光源装置１０Ａから出光される光の色温度あるいは演色性を調整することができる（もちろん、光源装置１０Ａを製造する工場において、光源装置１０Ａから出光される光の色温度を均一化し、あるいは演色性を調整することもできる）。
【００１１】
なお、本明細書の全体を通して「暖色光」とは、赤色光（波長：７８０〜６１０ｎｍ）、橙色光（波長：６１０〜５９０ｎｍ）および黄色光（波長：５９０〜５７０ｎｍ）に加えて、緑色光（波長：５７０〜５００ｎｍ）を含むものである。
【００１２】
また、本明細書では、青色波長光を低減することによって光の色温度を調整し、暖色波長光を低減することによって光の演色性を調整するものとして、「青色波長光の低減」と「暖色波長光の低減」との役割を便宜上分けて記載するが、青色波長光を低減することによって光の演色性を調整し、暖色波長光を低減することによって光の色温度を調整することも可能であり、「青色波長光を低減することによって光の演色性を調整し、暖色波長光を低減することによって光の色温度を調整すること」も当然に本発明の技術的範囲に含まれる。
【００１３】
請求項２に記載した発明は、「複数のＬＥＤ１２と、前記ＬＥＤ１２をその内側に収容し、前記ＬＥＤ１２から放射された光の出射開口１４ａを有する筐体１４と、前記筐体１４の前記出射開口１４ａを覆うカバー１６とを備える光源装置１０Ｂ〜Ｃであって、
前記カバー１６は、前記ＬＥＤ１２から放射される光の青色波長光を低減する青色波長光低減領域２４あるいは暖色波長光を低減する暖色波長光低減領域５０と、全ての可視光を透過する透明領域２６とを有しているとともに、前記出射開口１４ａに沿って回転可能に取り付けられていることを特徴とする光源装置１０Ｂ〜Ｃ」である。
【００１４】
請求項３に記載した発明は、「１つのＬＥＤ１２と、前記ＬＥＤ１２をその内側に収容し、前記ＬＥＤ１２から放射された光の出射開口１４ａを有する筐体１４と、前記筐体１４の前記出射開口１４ａを覆うカバー１６とを備える光源装置１０Ｄであって、
前記カバー１６は、前記ＬＥＤ１２から放射される光の青色波長光を低減する青色波長光低減領域２４あるいは暖色波長光を低減する暖色波長光低減領域５０と、全ての可視光を透過する透明領域２６とを有しているとともに、前記出射開口１４ａに沿って回転可能に取り付けられており、
前記ＬＥＤ１２は、前記ＬＥＤ１２から放射された光の前記カバー１６を透過する領域Ａが、前記カバー１６の回転中心を中心として非対称となるように配置されていることを特徴とする光源装置１０Ｄ」である。
【００１５】
請求項２および請求項３に記載された発明によれば、筐体１４の出射開口１４ａに沿って回転可能に取り付けられたカバー１６を回転させることにより、カバー１６を透過する光のうち、青色波長光低減領域２４あるいは暖色波長光低減領域５０を透過する光と、透明領域２６を通過する光の割合とを変化させて、光源装置１０Ｂ〜Ｄから出光する光全体における青色波長光あるいは暖色波長光の低減の度合いを調節することができ（青色波長光あるいは暖色波長光の低減度合いを「高い」範囲で調整する場合には、カバー１６全面における青色波長光低減領域２４あるいは暖色波長光低減領域５０の面積が大きいカバー１６が使用され、逆に、「低い」範囲で調整する場合には、カバー１６全面における青色波長光低減領域２４あるいは暖色波長光低減領域５０の面積が小さいカバー１６が使用されることになる。）、その結果、現場（もちろん、光源装置の製造工場でもよい。）での色温度調節用あるいは演色性調節用に複数のカバー１６を用意する必要がなく、より簡単に色温度あるいは演色性の調節を行うことができる。
【００１６】
なお、ＬＥＤ１２が１つの場合（請求項３）において、「ＬＥＤ１２は、当該ＬＥＤ１２から放射された光のカバー１６を透過する領域Ａが、カバー１６の回転中心を中心として非対称となるように配置されている」ことを規定しているのは、仮に当該領域Ａがカバー１６の回転中心を中心として「対称」であるとすれば、カバー１６の青色波長光低減領域２４あるいは暖色波長光低減領域５０と透明領域２６とをどのように区分けしたとしても、「カバー１６を回転させることにより、カバー１６を透過する光のうち、青色波長光低減領域２４あるいは暖色波長光低減領域５０を透過する光と、透明領域２６を通過する光の割合とを変化させる」ことができないからである（ＬＥＤ１２が複数の場合、このような制約はない。）。
【００１７】
請求項４に記載した発明は、「ＬＥＤ１２と、前記ＬＥＤ１２をその内側に収容し、前記ＬＥＤ１２から放射された光の出射開口１４ａを有する筐体１４と、前記筐体１４の前記出射開口１４ａを覆うカバー１６とを備える光源装置１０Ｂ〜Ｃであって、
前記カバー１６は、前記ＬＥＤ１２から放射される光の青色波長光を低減する青色波長光低減領域２４あるいは暖色波長光を低減する暖色波長光低減領域５０と、全ての可視光を透過する透明領域２６とを有しており、
前記ＬＥＤ１２から放射された光が前記青色波長光低減領域２４あるいは前記暖色波長光低減領域５０を透過する割合と、前記透明領域２６を通過する割合とを調整することによって前記カバー１６を透過した後の光の色温度あるいは演色性が調整された光源装置１０Ｂ〜Ｃ」である。
【発明の効果】
【００１８】
本発明の光源装置によれば、被覆部材の表面に設けた染色層によって当該ＬＥＤから放射される光の色温度を調整するといった専用の装置が必要となる方法ではなく、筐体の開口を覆うカバーを交換あるいは回転させるだけで色温度あるいは演色性を変えることができるので、特許文献１のＬＥＤとは異なり、光源装置の製造工場からの出荷前、あるいは光源装置が設置される現場の状況に合わせて簡単に色温度あるいは演色性を調整することができる。また、そのようにして色温度あるいは演色性を調整した光源装置を提供することができる。
【図面の簡単な説明】
【００１９】
【図１】本発明の第１実施例の光源装置を示す側面図（一部断面図）である。
【図２】図１のＩＩ−ＩＩ矢視による図（正面図）である。
【図３】ＬＥＤから放射される分光強度分布と、カバーにおける各波長の透過率とを示すグラフである。
【図４】本発明の第２実施例の光源装置を示す側面図（一部断面図）である。
【図５】図４のＶ−Ｖ矢視による図（正面図）である。
【図６】第２実施例における他の実施例を示す側面図（一部断面図）である。
【図７】本発明の第３実施例の光源装置を示す正面図である。
【図８】第３実施例における他の実施例を示す正面図である。
【図９】第３実施例における他の実施例を示す図である。
【図１０】本発明の第４実施例の光源装置を示す正面図である。
【図１１】従来技術を示す図である。
【図１２】ＬＥＤから放射される分光強度分布と、カバーにおける各波長の透過率とを示すグラフである。
【発明を実施するための形態】
【００２０】
以下、本発明が適用された光源装置１０について図面を用いて説明する。最初に第１実施例として、カバーを交換することによって所望の色温度の光を出光させる光源装置１０Ａについて説明し、次に、第２実施例として、青色波長光低減領域と全波長光透過領域とで構成されたカバーを回転させることによって出光する光の色温度を調節する、４つのＬＥＤを有する光源装置１０Ｂについて説明する。さらに、第２実施例の光源装置１０Ｂのバリエーションとして、２つのＬＥＤを有する光源装置１０Ｃ（第３実施例）、および１つのＬＥＤを有する光源装置１０Ｄ（第４実施例）について説明する。なお、先に説明した実施例に係る光源装置１０Ａ〜１０Ｃと共通する部分については当該先の説明を援用してその説明を省略する。
【００２１】
（第１実施例）
第１実施例に係る光源装置１０Ａは、図１および図２に示すように、ＬＥＤ（発光ダイオード）１２と、筐体１４と、カバー１６と、ホルダー１８と、給電端子２０とで構成されている。
【００２２】
ＬＥＤ１２は、所定の電圧が印加されることによって光を放射する光源体であり、筐体１４の底部１４ｂにおいて出射開口１４ａに向けて配設されている。本実施例では、１つのＬＥＤ１２が用いられているが、ＬＥＤ１２の数はこの限りではなく、複数のＬＥＤ１２を用いることができる。また、ＬＥＤ１２を筐体１４の内側面に向けて配設することもできる（この場合、筐体１４の内側に反射面を設ける必要がある。）。
【００２３】
筐体１４は、ＬＥＤ１２をその内側に収容し、ＬＥＤ１２から放射された光の出射開口１４ａを有する椀状の部材であり（もちろん、枡状等、ＬＥＤ１２を収容する空間と出射開口１４ａとを有する形状であれば椀状に限られない。）、当該出射開口１４ａに対向する底部１４ｂには上述のようにＬＥＤ１２が配設される。筐体１４の材質としては、例えば、ガラスあるいはアルミニウム等が使用される。また、本実施例のようにＬＥＤ１２を出射開口１４ａに向けて配設する場合には特に必須ではないが、筐体１４の内面には、ＬＥＤ１２から放射された光のうち、光軸Ｌと成す角度が大きい光（図１中、角度θよりも大きい光）を反射させる光反射面２２が形成されている。このような光反射面２２は、筐体１４の材質がアルミニウムの場合、例えば金属蒸着によって形成される。
【００２４】
カバー１６は、ガラス、アクリル、あるいはポリカーボネートといった光を透過させる材質で形成された円盤状の部材であり、筐体１４の出射開口１４ａを覆うようにして当該出射開口１４ａに嵌め込まれている。なお、カバー１６は、筐体１４の出射開口１４ａ側端部に巻回されたメタルバンド２５によって保持されている。また、カバー１６の表面１６ａ全体には、ＬＥＤ１２から放射される光における青色波長光を低減させる青色波長光低減領域２４が形成されている（図２中の薄墨部分が青色波長光低減領域２４を示している。もちろん、表面１６ａの一部分だけに青色波長光低減領域２４を形成してもよい。）。この青色波長光低減領域２４は、カバー１６の表面１６ａに青色波長光を低減する多層膜を蒸着させることによって形成されているが、青色波長光を低減する透明体あるいは透光体をカバー１６として使用するといった他の方法を用いることもできる。
【００２５】
ホルダー１８は、セラミック等の耐熱性絶縁材料によって形成された略多段円筒状の部材であり、その一方端（図中右側端）には、筐体１４（およびＬＥＤ１２）が接着等の手段で取り付けられており、また、その他方端（図中左端）には、給電端子２０が取り付けられており、その内側には、給電端子２０とＬＥＤ１２とを電気的に接続するリード線（図せず）を挿通させるためのリード線挿通孔（図示せず）が設けられている。
【００２６】
給電端子２０は、上述のようにホルダー１８の他方端に取り付けられた、外部からの電力を受け入れる一対のピン状の導電体である。
【００２７】
なお、ホルダー１８および給電端子２０の形状は本実施例のものに限られず、光源装置１０Ａが取り付けられるソケット（図示せず）の形状に応じた他の形状を採用してもよい。
【００２８】
次に、青色波長光低減領域２４を用いてＬＥＤ１２から放射された光の色温度を調整する方法について説明する。一般に「ウォームホワイト」と呼ばれる代表的なＬＥＤ１２の分光特性Ｓは、図３に示すように、青色光（波長：４３０〜４６０ｎｍ）を中心とする比較的幅狭のピークＰ１と、橙色光（波長：５９０〜６１０ｎｍ）を中心とする比較的幅広のピークＰ２とを有しており、このうち青色光を中心とするピークＰ１の高さ（＝強度）において個々のＬＥＤ１２にばらつきが生じることにより、ＬＥＤ１２から放射される光の色温度が２６００〜３３７５Ｋの範囲でばらつくことになる（もちろん、このばらつきの範囲はＬＥＤの型式や製造メーカによって異なるものである。）。
【００２９】
図３には、放射する光の色温度が異なる３つのサンプルＬＥＤ（１）〜（３）の分光特性Ｓを示しており、ピークＰ１の高さが最も低いサンプルＬＥＤ（１）の光の色温度は２７８０Ｋであり、次にピークＰ１の高さが低いサンプルＬＥＤ（２）の光の色温度は２９８０Ｋであり、ピークＰ１の高さが最も高いサンプルＬＥＤ（３）の光の色温度は３２５０Ｋであった。
【００３０】
このように色温度の異なるサンプルＬＥＤ（１）〜（３）からの光を、青色波長光低減領域２４における青色波長光の低減率（換言すれば、透過率Ｔ）がそれぞれ異なる３種類のカバー１６（１）〜（３）を用いてピークＰ１の高さを低減することによって調整する。図３の上部には、サンプルＬＥＤ（１）〜（３）からの光に含まれる各波長光に対するカバー１６（１）〜（３）の透過率（％）Ｔが示されており、とりわけ、ピークＰ１に対応する青色波長光の透過率が、サンプルＬＥＤ（１）に用いられるカバー１６（１）において最も高く、サンプルＬＥＤ（２）に用いられるカバー１６（２）、サンプルＬＥＤ（３）に用いられるカバー１６（３）の順に透過率が低くなっている。
【００３１】
なお、このような青色波長光の透過率の差は、カバー１６の表面１６ａに蒸着される、青色波長光を低減する多層膜の厚さで決定される。すなわち、透過率を高くする場合には、当該多層膜の厚さを薄く（あるいはゼロ）に設定し、透過率を低くする場合には、当該多層膜の厚さを厚く設定する。
【００３２】
色温度の異なるサンプルＬＥＤ（１）〜（３）にそれぞれ適切な青色波長光の透過率を有するカバー１６（１）〜（３）を適用することにより、サンプルＬＥＤ（１）とカバー１６（１）とを用いた光源装置１０Ａ（１）から出光する光の色温度は２７８０Ｋ（変化なし）、サンプルＬＥＤ（２）とカバー１６（２）とを用いた光源装置１０Ａ（２）から出光する光の色温度は２８２０Ｋ、さらにサンプルＬＥＤ（３）とカバー１６（３）とを用いた光源装置１０Ａ（３）から出光する光の色温度は２８００Ｋとなり、それぞれ約２８００Ｋの色温度に調整することができる。
【００３３】
また、青色波長光低減領域２４に替えて、ＬＥＤ１２から放射される光における暖色波長光を低減させる暖色波長光低減領域５０をカバー１６の表面１６ａ全体あるいはその一部分に形成してもよい。
【００３４】
暖色波長光低減領域５０を用いてＬＥＤ１２から放射された光の演色性を調整する方法について説明する。例えば、図１２に示すような分光特性Ｓを有するサンプルＬＥＤ（４）から放射される光の平均演色評価数Ｒａは「Ｒａ＝８３」である。このような光に対して、暖色波長光低減領域５０を有するカバー１６（４）を用いてピークＰ２（波長６１０ｎｍの橙色光を中心とするピーク）の高さを低減することによりその演色性を調整した結果（図１２の上部には、サンプルＬＥＤ（４）からの光に含まれる各波長光に対するカバー１６（４）の透過率（％）Ｔが示されている。）、カバー１６（４）を透過した後の光の平均演色評価数Ｒａは、「Ｒａ＝９０」まで改善した。
【００３５】
以上のように、第１実施例の光源装置１０Ａによれば、青色波長光低減領域２４における青色波長光の低減率（換言すれば、透過率）、あるいは暖色波長光低減領域５０における暖色波長光の低減率の異なるカバー１６をいくつか用意しておくことにより、当該光源装置１０Ａが設置される現場の状況に合わせて（あるいは、光源装置１０Ａの製造工場において、光源装置１０Ａから出光される光の色温度を均一化し、あるいは光の演色性を調整するために）光源装置１０Ａのカバー１６を交換して所望の色温度あるいは演色性の光を出光させることができる。
【００３６】
（第２実施例）
第２実施例に係る光源装置１０Ｂは、図４および図５に示すように、ＬＥＤ１２と、筐体１４と、カバー１６と、ホルダー１８と、給電端子２０とで構成されており、基本的に第１実施例に係る光源装置１０Ａと同様であるが、ＬＥＤ１２が４つ用いられていること、およびカバー１６の表面１６ａには、青色波長光低減領域２４と透明領域２６とが形成されていることにおいて光源装置１０Ａと相違する。以下、これら相違点について説明し、その他については第１実施例における説明を援用する。
【００３７】
本実施例における４つのＬＥＤ１２は、筐体１４の底部１４ｂから出射開口１４ａに向けて当該筐体１４の中心軸ＣＬ上に延びる四角柱状のＬＥＤ保持部材２８の出射開口１４ａ側端部において、中心軸ＣＬを中心としてそれぞれ均等な距離をおいて、筐体１４の内面に向けて配設されており（したがって、本実施例の場合、筐体１４の内面に光反射面２２を形成することが必須である。）、各ＬＥＤ１２から放射された光の大部分は、各ＬＥＤ１２に対向する光反射面２２で反射した後、カバー１６を透過して外部に出光する。
【００３８】
カバー１６の表面１６ａには、上述のように青色波長光低減領域２４と透明領域２６とが形成されており、本実施例では、図５に示すように、表面１６ａを周方向に８等分して８つの領域を形成し、これらの領域を交互に青色波長光低減領域２４および透明領域２６としている（図５中の薄墨部分が青色波長光低減領域２４である。）。また、カバー１６は、筐体１４の出射開口１４ａ側端部に巻回されたメタルバンド２５によって当該筐体１４の中心軸ＣＬを中心として回転可能に保持されている（カバー１６が出射開口１４ａに沿って回転可能であれば、カバー１６の回転中心と筐体１４の中心軸ＣＬとを互いにずらして設定することもできる。）。
【００３９】
第２実施例の光源装置１０Ｂから出光される光の色温度を調整する方法について説明する。ＬＥＤ１２から放射された後、光反射面２２で反射された光の多くは、カバー１６における当該反射位置を臨む領域（図５（ａ）〜（ｃ）における領域Ａ）を透過することになる。このため、図５（ａ）に示すように、カバー１６の透明領域２６が当該領域Ａに重なるようにしたとき、４つのＬＥＤ１２から放射された光の大部分は透明領域２６を透過することから、青色波長光はほとんど低減されることなく、光源装置１０Ｂから出光する光の色温度はほとんど変化しない。なお、４つのＬＥＤ１２から放射される光同士にも色温度の違いが存在することから、筐体１４の光反射面２２に回転放物面を用いたときのように、光反射面２２で反射した光が筐体１４の中心軸ＣＬに対して平行光となる場合には、照射面において互いに色温度が異なる４つの照射領域が生じることとなる。また、光反射面２２に回転楕円面を用いたときのように、光反射面２２で反射した光が所定の集光点に集光する場合には、その集光点付近において４種類の色温度を有する光が混ざり合って平均化された色温度の光となる。
【００４０】
このような状態から、カバー１６を筐体１４およびＬＥＤ１２に対して回転させると、領域Ａに青色波長光低減領域２４が重なり始め（図５（ｂ）参照）、４つのＬＥＤ１２から放射された光のうち、青色波長光が低減される光の割合が多くなって、光源装置１０Ｂから出光する光の色温度は青色波長光が低減した分だけ低くなる。
【００４１】
さらにカバー１６を回転させると、領域Ａと重なる青色波長光低減領域２４が最大となり（図５（ｃ）参照）、このときＬＥＤ１２から放射された光のうち青色波長光が低減される光の割合が最大となって、光源装置１０Ｂから出光する光の色温度は最低となる。
【００４２】
青色波長光の低減割合を大きくしていくと、上述のように光源装置１０Ｂから出光する光全体としての色温度が低下していくだけでなく、ばらつきがあった４つのＬＥＤ１２から放射される光同士の色温度の差も少なくなっていく。なぜならば、色温度が高い（＝青色波長光の強度が高い）光が青色波長光低減領域２４を透過する光の割合と、色温度が低い（＝青色波長光の強度が低い）光が青色波長光低減領域２４を透過する光の割合とが同じであれば、前者の方が後者に比べてカバー１６を透過する際に吸収される青色波長光の量が多くなる。換言すれば、同じ割合だけ青色波長光低減領域２４を透過したとしても、前者の方が色温度の低下の度合いが大きいといえるからである。これにより、光反射面２２に回転放物面を用いた場合には、照射面に生じる４つの照射領域の色温度が低下するとともに均一化することになる。また、回転楕円面を用いた場合には、平均化された光の色温度が低下することとなる。
【００４３】
また、第２実施例の光源装置１０Ｂにおいても、第１実施例の光源装置１０Ａと同様に、青色波長光低減領域２４に替えて、ＬＥＤ１２から放射される光における暖色波長光を低減させる暖色波長光低減領域５０をカバー１６の表面１６ａに形成してもよい。
【００４４】
青色波長光低減領域２４に替えて暖色波長光低減領域５０を形成した場合、暖色波長光が低減される光の割合を調整することによって光源装置１０Ｂから出光する光の演色性を調整することができ、その調整方法は「光の色温度を調整する場合」と基本的に同じであることから、上記説明を援用してその説明を省略する。
【００４５】
以上のように、第２実施例の光源装置１０Ｂによれば、青色波長光低減領域２４あるいは暖色波長光低減領域５０と透明領域２６とで構成されたカバー１６を回転させることによって、光源装置１０Ｂから出光する光全体における青色波長光の低減の度合い、あるいは暖色波長光の低減の度合いを調節することができるので、現場での色温度あるいは演色性調節用に複数のカバー１６を用意する必要がなく、より簡単に色温度あるいは演色性の調節を行うことができる。もちろん、光源装置１０Ｂの製造工場の出荷前検査において色温度あるいは演色性の調節を行い、カバー１６を筐体１４の出射開口１４ａに接着剤等で固定した後、出荷することもできる。
【００４６】
なお、本実施例におけるＬＥＤ１２に替えて、図６に示すように、ＬＥＤ素子３０とレンズ３２とレンズ３２を所定に位置で保持するレンズ保持部材３４（図６では、レンズ保持部材３４が透明体である場合について描いているが、レンズ保持部材３４は、透光体でも、金属等の不透明でもよい。）とを備える４つの発光体３６を用いてもよい。
【００４７】
レンズ３２は、ＬＥＤ素子３０の背面側に当該ＬＥＤ素子３０の虚像Ｉを形成するものが使用されており、各発光体３６におけるＬＥＤ素子３０の虚像Ｉの中心が筐体１４の光反射面２２を構成する回転放物面あるいは回転楕円面の焦点Ｆに一致するように各発光体３６が配置されている。
【００４８】
これにより、４つの発光体３６を使用しているにもかかわらず、あたかも焦点Ｆを中心として配置された１つの光源から光を放出しているかのような平行光（光反射面２２が回転放物面である場合）あるいは集光（光反射面２２が回転楕円面である場合）を出光することのできる光源装置１０Ｂを得ることができる。
【００４９】
（第３実施例）
第３実施例に係る光源装置１０Ｃは、図７および図８に示すように、使用されているＬＥＤ１２の数が２つである点で第２実施例の光源装置１０Ｂと相違している。
【００５０】
図７には、２つのＬＥＤ１２が互いに背中合わせにしつつ筐体１４の光反射面２２に向けて配置した場合を示している。このように２つのＬＥＤ１２を配置する場合、カバー１６における青色波長光低減領域２４と透明領域２６との区分けとしては、カバー１６を周方向に４等分して４つの領域を形成し、これらの領域を交互に青色波長光低減領域２４および透明領域２６とする方式（図７（ａ）参照）の他、カバー１６を回転させることによって領域Ａに重なる青色波長光低減領域２４あるいは透明領域２６の割合を変化させることができる形状であれば、例えば図７（ｂ）に示すように青色波長光低減領域２４を矩形状に形成してもよい。なお、図示しないが、ＬＥＤ１２に替えて、上述したように、２つの発光体３６を使用してもよい。
【００５１】
また、図８には、２つのＬＥＤ１２を筐体１４の出射開口１４ａに向けて底部１４ｂに配置したものであって、筐体１４の中心軸ＣＬを挟んで２つのＬＥＤ１２を配置した場合（図８（ａ）参照）、および中心軸ＣＬを中心として図中３時方向と６時方向とにＬＥＤ１２を配置した場合（図８（ｂ）参照）について示している。この場合、カバー１６における青色波長光低減領域２４と透明領域２６との区分けとして、図８（ａ）に示すようなＬＥＤ１２の配置であれば、図７（ａ）と同様に、カバー１６を周方向に４等分して４つの領域を形成し、これらの領域を交互に青色波長光低減領域２４および透明領域２６とする方式が考えられ、図８（ｂ）に示すようなＬＥＤ１２の配置であれば、カバー１６をその中心を通る線で半分に区分けした一方の領域を青色波長光低減領域２４とし、他方の領域を透明領域２６とする方式が考えられる。いずれにせよ、カバー１６を回転させることによって領域Ａ（この実施例のようにＬＥＤ１２を筐体１４の出射開口１４ａに向けて配置する場合であれば、ＬＥＤ１２を中心とする所定の大きさの円内が、ＬＥＤ１２から放射された光がカバー１６を透過する領域Ａになる。）に重なる青色波長光低減領域２４あるいは透明領域２６の割合を変化させることができる形状であればよい。
【００５２】
また、第３実施例の光源装置１０Ｃにおいても、第１実施例および第２実施例と同様に、青色波長光低減領域２４に替えて、ＬＥＤ１２から放射される光における暖色波長光を低減させる暖色波長光低減領域５０をカバー１６の表面１６ａに形成し、暖色波長光が低減される光の割合を調整することによって光源装置１０Ｃから出光する光の演色性を調整することができ、その調整方法は「光の色温度を調整する場合」と基本的に同じであることから、上記説明を援用してその説明を省略する。
【００５３】
これら第３実施例に係る光源装置１０Ｃにおいても、青色波長光低減領域２４あるいは暖色波長光低減領域５０と透明領域２６とで構成されたカバー１６を回転させることによって、光源装置１０Ｃから出光する光全体における青色波長光の低減の度合い、あるいは暖色波長光の低減の度合いを調節することができるので、現場（あるいは光源装置１０Ｃの製造工場）での色温度あるいは演色性調節用に複数のカバー１６を用意する必要がなく、より簡単に色温度あるいは演色性の調節を行うことができる。
【００５４】
なお、図８に示した実施例におけるＬＥＤ１２に対して、図９(a)に示すように、ポリカーボネート等で形成された中実透明体の砲弾型レンズ３８を組み合わせてもよい。
【００５５】
砲弾型レンズ３８は、図９（ｂ）に示すように、ＬＥＤ１２から放射された光を当該砲弾型レンズ３８の内部に受け入れる受光面３８ａ（図中左端面）と、受光面３８ａから受け入れられた光を内面反射させる反射面３８ｂと、反射面３８ｂで反射した光を出光させる、受光面３８ａに対向配置された出光面３８ｃとで構成されている。また、受光面３８ａには、ＬＥＤ１２の先端部を収容することのできる凹部３８ｄが形成されており、受光面３８ａから出光面３８ｃまでの距離は、前記凹部３８ｄにＬＥＤ１２の先端部を嵌め込んだときに、出光面３８ｃがカバー１６にぴったりと当接するか（図９（ａ）に示す状態）、あるいはこれよりも短くなるように設定される（なお、短くなるように設定した場合には、砲弾型レンズ３８を支持するための部材が別途必要になる。）。
【００５６】
このような砲弾型レンズ３８を用いることにより、ＬＥＤ１２から放射された光の大部分は砲弾型レンズ３８内を通過し、反射面３８ｂで反射して出光面３８ｃからあたかも面光源から放射される光のように所定の開き角をもって出光させることができる。このため、ＬＥＤ１２が本来的に有している開き角（当該開き角が大きくなると、図８（ａ）、（ｂ）における領域Ａが大きくなる。）に関わらず、領域Ａ（砲弾型レンズ３８の出光面３８ｃと同じ）を所望の大きさにすることができる。
【００５７】
（第４実施例）
第４実施例に係る光源装置１０Ｄは、図１０に示すように、使用されているＬＥＤ１２の数が１つである点で第３実施例の光源装置１０Ｃと相違している。
【００５８】
図１０（ａ）には、１つのＬＥＤ１２を筐体１４の光反射面２２に向けて配置した場合を示している。この場合、カバー１６における青色波長光低減領域２４と透明領域２６との区分けとしては、カバー１６をその中心を通る線で半分に区分けした一方の領域を青色波長光低減領域２４とし、他方の領域を透明領域２６とする方式が考えられる。なお、図示しないが、この場合も、ＬＥＤ１２に替えて発光体３６を使用することができる。
【００５９】
また、図１０（ｂ）には、１つのＬＥＤ１２を筐体１４の出射開口１４ａに向けて底部１４ｂに配置した場合を示している。なお、この場合、ＬＥＤ１２を筐体１４の中心軸ＣＬ上ではなく、図のように当該中心軸ＣＬからずらした位置に配設して、ＬＥＤ１２から放射された光がカバー１６を透過する領域Ａが、筐体１４の中心軸ＣＬを中心として「非対称」にする必要がある（すなわち、ＬＥＤ１２から放射された光のカバー１６を透過する領域Ａが、カバー１６の回転中心を中心として「非対称」となるように配置する必要がある。）。
【００６０】
筐体１４の出射開口１４ａに向けて底部１４ｂに配置する場合、ＬＥＤ１２を筐体１４の中心軸ＣＬ上に配置すると、当該ＬＥＤ１２から放射された光がカバー１６を透過する領域Ａが、筐体１４の中心軸ＣＬ（すなわち、カバー１６の回転中心）を中心として「対称」となり、カバー１６における青色波長光低減領域２４および透明領域２６をどのように構成しても、「カバー１６を回転させることによって領域Ａに重なる青色波長光低減領域２４あるいは透明領域２６の割合を変化させること」ができなくなるからである。
【００６１】
図１０（ｂ）に示すような場合も、カバー１６における青色波長光低減領域２４と透明領域２６との区分けとして、カバー１６をその中心を通る線で半分に区分けした一方の領域を青色波長光低減領域２４とし、他方の領域を透明領域２６とする方式が考えられる。なお、ＬＥＤ１２に対して、上述した砲弾型レンズ３８を組み合わせてもよい。
【００６２】
また、第４実施例の光源装置１０Ｄにおいても、青色波長光低減領域２４に替えて、ＬＥＤ１２から放射される光における暖色波長光を低減させる暖色波長光低減領域５０をカバー１６の表面１６ａに形成し、暖色波長光が低減される光の割合を調整することによって光源装置１０Ｄから出光する光の演色性を調整することができ、その調整方法は「光の色温度を調整する場合」と基本的に同じであることから、上記説明を援用してその説明を省略する。
【００６３】
これら第４実施例に係る光源装置１０Ｄにおいても、青色波長光低減領域２４あるいは暖色波長光低減領域５０と透明領域２６とで構成されたカバー１６を回転させることによって、光源装置１０Ｄから出光する光全体における青色波長光の低減の度合い、あるいは暖色波長光の低減の度合いを調節することができるので、現場（あるいは光源装置１０Ｄの製造工場）での色温度あるいは演色性調節用に複数のカバー１６を用意する必要がなく、より簡単に色温度あるいは演色性の調節を行うことができる。
【符号の説明】
【００６４】
１０…光源装置
１２…ＬＥＤ
１４…筐体
１６…カバー
１８…ホルダー
２０…給電端子
２２…光反射面
２４…青色波長光低減領域
２５…メタルバンド
２６…透明領域
２８…ＬＥＤ保持部材
３０…ＬＥＤ素子
３２…レンズ
３４…レンズ保持部材
３６…発光体
３８…砲弾型レンズ
５０…暖色波長光低減領域
【図１】
2011108583.tif 000003
【図３】
2011108583.tif 000004
【図４】
2011108583.tif 000005
【図９】
2011108583.tif 000006
【図１１】
2011108583.tif 000007
【図１２】
2011108583.tif 000008
【図２】
2011108583.tif 000009
【図５】
2011108583.tif 000010
【図６】
2011108583.tif 000011
【図７】
2011108583.tif 000012
【図８】
2011108583.tif 000013
【図１０】
2011108583.tif 000014